(57)【要約】【課題】照明器具の寿命末期を実際の使用状況に応じて予測することが可能な寿命予測装置を提供する。【解決手段】寿命予測装置は、商用電源から供給される交流電力を用いて動作する照明器具の点灯時間中における動作状態を示す情報である所定の情報を取得する動作情報取得部と、動作情報取得部により取得された異なる日時における複数の所定の情報の変化に基づき、照明器具の寿命末期を予測するための処理を行う寿命末期予測処理部と、を有する。【選択図】図１
2016066408.tif 000002
【特許請求の範囲】
【請求項１】
商用電源から供給される交流電力を用いて動作する照明器具の点灯時間中における動作状態を示す情報である所定の情報を取得する動作情報取得部と、
前記動作情報取得部により取得された異なる日時における複数の前記所定の情報の変化に基づき、前記照明器具の寿命末期を予測するための処理を行う寿命末期予測処理部と、
を有することを特徴とする寿命予測装置。
【請求項２】
前記所定の情報は、前記照明器具の点灯に要した電力であることを特徴とする請求項１に記載の寿命予測装置。
【請求項３】
前記所定の情報は、前記照明器具の点灯期間中に消費された電力量であることを特徴とする請求項１に記載の寿命予測装置。
【請求項４】
前記所定の情報は、前記照明器具の点灯時に前記照明器具が設けられた部屋において検知された照度であることを特徴とする請求項１に記載の寿命予測装置。
【請求項５】
前記照度は、前記部屋に設けられ、かつ、前記商用電源から供給される交流電力を用いて動作する電気機器により検知されることを特徴とする請求項４に記載の寿命予測装置。
【請求項６】
前記照度は、前記部屋に設けられ、かつ、前記商用電源とは異なる電源から供給される電力を用いて動作する電気機器により検知されることを特徴とする請求項４に記載の寿命予測装置。
【発明の詳細な説明】
【技術分野】
【０００１】
本発明の実施形態は、寿命予測装置に関する。
【背景技術】
【０００２】
機器の寿命末期を予測し、当該予測した寿命末期に関する情報をユーザに提示することが可能なシステムが従来知られている。
【０００３】
具体的には、例えば、現在使用中の機器と同じ機種の機器から得られたデータを集計及び分析することにより、当該現在使用中の機器の寿命末期に関する情報をユーザに提示するための構成を具備するシステムが従来知られている。
【０００４】
しかし、前述のような構成を具備するシステムによれば、照明器具の寿命末期を実際の使用状況に応じて予測することができない、という問題点が生じている。
【先行技術文献】
【特許文献】
【０００５】
【特許文献１】日本国特開２００８−１０２９３６号公報
【発明の概要】
【発明が解決しようとする課題】
【０００６】
そこで、実施形態は、照明器具の寿命末期を実際の使用状況に応じて予測することが可能な寿命予測装置を提供する。
【課題を解決するための手段】
【０００７】
実施形態の寿命予測装置は、商用電源から供給される交流電力を用いて動作する照明器具の点灯時間中における動作状態を示す情報である所定の情報を取得する動作情報取得部と、前記動作情報取得部により取得された異なる日時における複数の前記所定の情報の変化に基づき、前記照明器具の寿命末期を予測するための処理を行う寿命末期予測処理部と、を有する。
【発明の効果】
【０００８】
実施形態の寿命予測装置によれば、照明器具の寿命末期を実際の使用状況に応じて予測することができる。
【図面の簡単な説明】
【０００９】
【図１】実施形態に係る寿命予測装置を含むエネルギー管理システムの構成の一例を説明するための図。
【図２】実施形態に係る照明器具の構成の一例を説明するための図。
【図３】実施形態に係る電気機器の構成の一例を説明するための図。
【図４】点灯時刻Ｔと消費電力ＰＡとの間の相関関係の一例を示す図。
【図５】累積点灯時間τと累積消費電力量ＱＫとの間の相関関係の一例を示す図。
【図６】点灯時刻Ｔと実測照度ＬＡ１（またはＬＡ２）との間の相関関係の一例を示す図。
【発明を実施するための形態】
【００１０】
以下、図面を参照して実施形態を説明する。
【００１１】
エネルギー管理システム１は、図１に示すように、商用電源Ｅから供給される交流電力を同一建物内の部屋ＲＡ及びＲＢに分配するための分電盤１１と、部屋ＲＡに設けられている照明器具１２ａ及び電気機器１３ａと、部屋ＲＢに設けられている照明器具１２ｂ及び電気機器１３ｂと、電流検知部１４ａ及び１４ｂと、通信制御装置１５と、情報処理装置１６と、を有して構成されている。図１は、実施形態に係る寿命予測装置を含むエネルギー管理システムの構成の一例を説明するための図である。
【００１２】
分電盤１１は、例えば、部屋ＲＡに設けられた配線器具ＲＡ１に接続されているブレーカーＢａ１と、部屋ＲＡに設けられた配線器具ＲＡ２に接続されているブレーカーＢａ２と、部屋ＲＢに設けられた配線器具ＲＢ１に接続されているブレーカーＢｂ１と、部屋ＲＢに設けられた配線器具ＲＢ２に接続されているブレーカーＢｂ２と、を有して構成されている。
【００１３】
照明器具１２ａは、例えば、部屋ＲＡの天井に設けられた配線器具ＲＡ１に接続されるとともに、当該配線器具ＲＡ１を介して供給される交流電力を用いて動作するシーリングライト等により構成されている。また、照明器具１２ａは、部屋ＲＡに設けられた操作パネルＳＡの操作に応じ、光源１２１ａ（後述）を点灯または消灯するように構成されている。また、照明器具１２ａは、部屋ＲＡの照度が操作パネルＳＡの操作に応じて設定された設定照度ＬＲＡになるように、光源１２１ａから発せられる照明光の光量を変化させるように構成されている。また、照明器具１２ａは、例えば、図２に示すように、光源１２１ａと、照度センサ１２２ａと、制御回路１２３ａと、通信Ｉ／Ｆ（インターフェース）１２４ａと、を有して構成されている。図２は、実施形態に係る照明器具の構成の一例を説明するための図である。
【００１４】
光源１２１ａは、例えば、ＬＥＤ等により構成されており、制御回路１２３ａの制御に応じて点灯するように構成されている。
【００１５】
照度センサ１２２ａは、光源１２１ａの点灯時における部屋ＲＡの照度を実測照度ＬＡ１として検知するように構成されている。
【００１６】
制御回路１２３ａは、操作パネルＳＡの操作に応じ、光源１２１ａを点灯または消灯させるための制御を行うように構成されている。また、制御回路１２３ａは、部屋ＲＡの照度を設定照度ＬＲＡにするための制御を光源１２１ａに対して行うように構成されている。
【００１７】
通信Ｉ／Ｆ１２４ａは、例えば、ＬＡＮ（ローカルエリアネットワーク）アダプタ等を具備し、通信制御装置１５を介して情報処理装置１６との間で通信を行うことができるように構成されている。また、通信Ｉ／Ｆ１２４ａは、操作パネルＳＡの操作に応じた光源１２１ａの点灯及び消灯を識別可能な情報と、設定照度ＬＲＡを示す情報と、実測照度ＬＡ１を示す情報と、を通信制御装置１５を介して情報処理装置１６へそれぞれ送信するように構成されている。
【００１８】
電気機器１３ａは、部屋ＲＡに設けられた配線器具ＲＡ２に接続されており、当該配線器具ＲＡ２を介して供給される交流電力を用いて動作するように構成されている。また、電気機器１３ａは、例えば、図３に示すように、機器本体１３１ａと、照度センサ１３２ａと、通信Ｉ／Ｆ１３３ａと、を有して構成されている。図３は、実施形態に係る電気機器の構成の一例を説明するための図である。
【００１９】
機器本体１３１ａは、例えば、テレビ装置等により構成されており、部屋ＲＡに設けられた配線器具ＲＡ２を介して供給される交流電力を用いた動作を実施するオン状態と、当該交流電力を用いた動作を停止するオフ状態と、を切り替えることができるように構成されている。
【００２０】
照度センサ１３２ａは、光源１２１ａの点灯時における部屋ＲＡの照度を実測照度ＬＡ２として検知するように構成されている。
【００２１】
通信Ｉ／Ｆ１３３ａは、例えば、ＬＡＮアダプタ等を具備し、通信制御装置１５を介して情報処理装置１６との間で通信を行うことができるように構成されている。また、通信Ｉ／Ｆ１３３ａは、実測照度ＬＡ２を示す情報を、通信制御装置１５を介して情報処理装置１６へ送信するように構成されている。
【００２２】
なお、電気機器１３ａは、実測照度ＬＡ２を検知して情報処理装置１６へ送信するための構成を具備する限りにおいては、商用電源Ｅから供給される交流電力を用いて動作するものでなくともよい。具体的には、電気機器１３ａは、例えば、スマートフォン等のような、商用電源Ｅとは異なる電源から供給される電力を用いて動作する機器であってもよい。
【００２３】
照明器具１２ｂは、例えば、部屋ＲＢの天井に設けられた配線器具ＲＢ１に接続されるとともに、当該配線器具ＲＢ１を介して供給される交流電力を用いて動作するシーリングライト等により構成されている。また、照明器具１２ｂは、部屋ＲＢに設けられた操作パネルＳＢの操作に応じ、光源１２１ｂ（後述）を点灯または消灯するように構成されている。また、照明器具１２ｂは、部屋ＲＢの照度が操作パネルＳＢの操作に応じて設定された設定照度ＬＲＢになるように、光源１２１ｂから発せられる照明光の光量を変化させるように構成されている。また、照明器具１２ｂは、例えば、図２に示すように、光源１２１ｂと、照度センサ１２２ｂと、制御回路１２３ｂと、通信Ｉ／Ｆ１２４ｂと、を有して構成されている。
【００２４】
光源１２１ｂは、例えば、ＬＥＤ等により構成されており、制御回路１２３ｂの制御に応じて点灯するように構成されている。
【００２５】
照度センサ１２２ｂは、光源１２１ｂの点灯時における部屋ＲＢの照度を実測照度ＬＢ１として検知するように構成されている。
【００２６】
制御回路１２３ｂは、操作パネルＳＢの操作に応じ、光源１２１ｂを点灯または消灯させるための制御を行うように構成されている。また、制御回路１２３ｂは、部屋ＲＢの照度を設定照度ＬＲＢにするための制御を光源１２１ｂに対して行うように構成されている。
【００２７】
通信Ｉ／Ｆ１２４ｂは、例えば、ＬＡＮアダプタ等を具備し、通信制御装置１５を介して情報処理装置１６との間で通信を行うことができるように構成されている。また、通信Ｉ／Ｆ１２４ｂは、操作パネルＳＢの操作に応じた光源１２１ｂの点灯及び消灯を識別可能な情報と、設定照度ＬＲＢを示す情報と、実測照度ＬＢ１を示す情報と、を通信制御装置１５を介して情報処理装置１６へそれぞれ送信するように構成されている。
【００２８】
電気機器１３ｂは、部屋ＲＢに設けられた配線器具ＲＢ２に接続されており、当該配線器具ＲＢ２を介して供給される交流電力を用いて動作するように構成されている。また、電気機器１３ｂは、例えば、図３に示すように、機器本体１３１ｂと、照度センサ１３２ｂと、通信Ｉ／Ｆ１３３ｂと、を有して構成されている。
【００２９】
機器本体１３１ｂは、例えば、テレビ装置等により構成されており、部屋ＲＢに設けられた配線器具ＲＢ２を介して供給される交流電力を用いた動作を実施するオン状態と、当該交流電力を用いた動作を停止するオフ状態と、を切り替えることができるように構成されている。
【００３０】
照度センサ１３２ｂは、光源１２１ｂの点灯時における部屋ＲＢの照度を実測照度ＬＢ２として検知するように構成されている。
【００３１】
通信Ｉ／Ｆ１３３ｂは、例えば、ＬＡＮアダプタ等を具備し、通信制御装置１５を介して情報処理装置１６との間で通信を行うことができるように構成されている。また、通信Ｉ／Ｆ１３３ｂは、実測照度ＬＢ２を示す情報を、通信制御装置１５を介して情報処理装置１６へ送信するように構成されている。
【００３２】
なお、電気機器１３ｂは、実測照度ＬＢ２を検知して情報処理装置１６へ送信するための構成を具備する限りにおいては、商用電源Ｅから供給される交流電力を用いて動作するものでなくともよい。具体的には、電気機器１３ｂは、例えば、スマートフォン等のような、商用電源Ｅとは異なる電源から供給される電力を用いて動作する機器であってもよい。
【００３３】
電流検知部１４ａは、例えば、カレントトランス等を具備し、ブレーカーＢａ１を流れる電流値を検知するとともに、当該検知した電流値ＲＡＩを示す情報を、通信制御装置１５を介して情報処理装置１６へ送信するように構成されている。
【００３４】
電流検知部１４ｂは、例えば、カレントトランス等を具備し、ブレーカーＢｂ１を流れる電流値を検知するとともに、当該検知した電流値ＲＢＩを示す情報を、通信制御装置１５を介して情報処理装置１６へ送信するように構成されている。
【００３５】
通信制御装置１５は、例えば、ルータ等を具備し、照明器具１２ａ及び１２ｂと、電気機器１３ａ及び１３ｂと、電流検知部１４ａ及び１４ｂと、情報処理装置１６と、の各部を結ぶネットワークにおける情報の送受信に係る制御を行うように構成されている。
【００３６】
情報処理装置１６は、例えば、パーソナルコンピュータ等により構成されている。また、情報処理装置１６は、照明器具１２ａ及び１２ｂと、電気機器１３ａ及び１３ｂと、電流検知部１４ａ及び１４ｂと、の各部から送信される情報を、通信制御装置１５を介してそれぞれ受信することができるように構成されている。また、情報処理装置１６は、通信制御装置１５を介して受信した情報に基づき、照明器具１２ａの寿命末期と、照明器具１２ｂの寿命末期と、を個別に予測するための演算処理を行うとともに、当該演算処理により得られた演算結果を示す情報をユーザに提示することができるように構成されている。また、情報処理装置１６は、通信Ｉ／Ｆ１６ａと、記憶装置１６ｂと、ＲＴＣ（リアルタイムクロック）１６ｃと、ＣＰＵ（中央処理装置）１６ｄと、表示装置１６ｅと、を有して構成されている。
【００３７】
通信Ｉ／Ｆ１６ａは、例えば、ＬＡＮアダプタ等を具備し、通信制御装置１５を介した通信を行うことができるように構成されている。
【００３８】
記憶装置１６ｂは、例えば、不揮発性メモリまたはハードディスクドライブ等を具備し、通信Ｉ／Ｆ１６ａにおいて受信された情報を格納することができるように構成されている。
【００３９】
ＲＴＣ１６ｃは、通信Ｉ／Ｆ１６ａにおいて受信された情報が記憶装置１６ｂに格納される際に、現在時刻を示す情報を付加するための処理を行うように構成されている。そして、このようなＲＴＣ１６ｃの処理によれば、例えば、照明器具１２ａの点灯時刻及び消灯時刻を示す情報と、照明器具１２ｂの点灯時刻及び消灯時刻を示す情報と、が個別に記憶装置１６ｂに格納される。
【００４０】
ＣＰＵ１６ｄは、記憶装置１６ｂに格納された情報に基づき、照明器具１２ａの寿命末期と、照明器具１２ｂの寿命末期と、を個別に予測するための処理である寿命末期予測処理を行うとともに、当該寿命末期予測処理の処理結果を示す画像及び／または文字列等を表示装置１６ｅの表示画面上に表示させるための制御を行うように構成されている。
【００４１】
表示装置１６ｅは、例えば、液晶ディスプレイ等を具備し、ＣＰＵ１６ｃの制御に応じた画像及び／または文字列等を表示画面上に表示することができるように構成されている。
【００４２】
次に、ＣＰＵ１６ｄにおいて行われる寿命末期予測処理について、以下に説明する。なお、以降においては、簡単のため、部屋ＲＡに設けられた照明器具１２ａの寿命末期を予測する場合を例に挙げて説明する。
【００４３】
ＣＰＵ１６ｄは、記憶装置１６ｂに格納された各情報の中から、光源１２１ａの点灯時刻を示す情報と、当該点灯時刻における電流値ＲＡＩを示す情報と、当該点灯時刻における設定照度ＬＲＡを示す情報と、をそれぞれ取得するとともに、当該取得した電流値ＲＡＩに基づき、光源１２１ａにおいて消費された電力である消費電力ＰＡを算出する。すなわち、このようなＣＰＵ１６ｄの処理によれば、光源１２１ａの点灯に要した消費電力ＰＡが算出される。
【００４４】
そして、ＣＰＵ１６ｄは、光源１２１ａの各点灯時刻における消費電力ＰＡの算出結果に基づき、例えば、光源１２１ａの点灯時刻Ｔと、消費電力ＰＡと、が図４に示すような相関関係を有していることを検出するとともに、当該検出した相関関係に基づき、消費電力ＰＡが増加して所定の消費電力ＰＴＨに達すると推定される最初の点灯時刻ＴＬを、照明器具１２ａの寿命末期として予測する。図４は、点灯時刻Ｔと消費電力ＰＡとの間の相関関係の一例を示す図である。
【００４５】
なお、所定の消費電力ＰＴＨは、例えば、部屋ＲＡの照度を設定照度ＬＲＡにするために要する照明光の光量が光源１２１ａから発生可能な最大光量となる場合の電力として設定される。
【００４６】
一方、ＣＰＵ１６ｄは、以上に述べたような処理に限らず、例えば、以下に述べるような処理を寿命末期予測処理として行うものであってもよい。
【００４７】
ＣＰＵ１６ｄは、記憶装置１６ｂに格納された各情報の中から、光源１２１ａの点灯時刻及び消灯時刻を示す情報と、当該点灯時刻から当該消灯時刻までの点灯時間中における電流値ＲＡＩを示す情報と、をそれぞれ取得するとともに、当該取得した電流値ＲＡＩに基づき、当該点灯時間中に光源１２１ａにおいて消費された電力量である消費電力量ＱＡを算出する。
【００４８】
そして、ＣＰＵ１６ｄは、光源１２１ａの各点灯時間における消費電力量ＱＡの算出結果に基づき、例えば、当該算出結果に含まれる消費電力量ＱＡを所定の期間毎に累積した値である累積消費電力量ＱＫと、累積点灯時間τと、が図５に示すような相関関係を有していることを検出するとともに、当該検出した相関関係に基づき、累積消費電力量ＱＫが増加して所定の累積消費電力量ＱＴＨに達すると推定される累積点灯時間τＬを、照明器具１２ａの寿命末期として予測する。図５は、累積点灯時間τと累積消費電力量ＱＫとの間の相関関係の一例を示す図である。
【００４９】
なお、所定の累積消費電力量ＱＴＨは、例えば、光源１２１ａから発せられる照明光の最大光量が所定の光量以下になる場合の電力量として設定される。
【００５０】
一方、ＣＰＵ１６ｄは、以上に述べたような処理に限らず、例えば、以下に述べるような処理を寿命末期予測処理として行うものであってもよい。
【００５１】
ＣＰＵ１６ｄは、記憶装置１６ｂに格納された各情報の中から、光源１２１ａの点灯時刻を示す情報と、当該点灯時刻における設定照度ＬＲＡを示す情報と、当該点灯時刻における実測照度ＬＡ１（またはＬＡ２）を示す情報と、をそれぞれ取得する。
【００５２】
そして、ＣＰＵ１６ｄは、例えば、光源１２１ａの点灯時刻Ｔと、実測照度ＬＡ１（またはＬＡ２）と、が図６に示すような相関関係を有していることを検出するとともに、当該検出した相関関係に基づき、実測照度ＬＡ１（またはＬＡ２）が減少して所定の照度ＬＴＨに達すると推定される最初の点灯時刻ＴＭを、照明器具１２ａの寿命末期として予測する。図６は、点灯時刻Ｔと実測照度ＬＡ１（またはＬＡ２）との間の相関関係の一例を示す図である。
【００５３】
ここで、本実施形態においては、例えば、光源１２１ｂの点灯時刻及び消灯時刻を示す情報と、電流値ＲＢＩを示す情報と、設定照度ＬＲＢを示す情報と、実測照度ＬＢ１（またはＬＢ２）を示す情報と、に基づき、照明器具１２ａの寿命末期を予測するための処理と同様の処理を行うことにより、照明器具１２ｂの寿命末期を予測することもできる。すなわち、本実施形態によれば、照明器具の寿命末期を実際の使用状況に応じて予測することができる。
【００５４】
また、本実施形態においては、電気機器１３ａ及び１３ｂと、照明器具１２ａ及び１２ｂとの関連付けを通信制御装置１５または情報処理装置１６で設定しておくことにより、実測照度ＬＢ１（またはＬＢ２）による寿命予測を行うことができる。例えば、同じ部屋に設置された電気機器１３ａ及び１３ｂと、照明装置１２ａ及び１２ｂと、を関連付けしておくことにより、照明器具１２ａ及び１２ｂにより照射される領域の照度を検出することができる。なお、電気機器１３ａ及び１３ｂがテレビ装置などの発光部を有する機器の場合には、電気機器１２ａ及び１２ｂの制御情報を考慮して実測照度を求めてもよい。例えば、通信制御装置１５が電気機器１３ａ及び１３ｂの制御状態及び検出結果を受信できるように構成されているものとすると、電気機器１３ａ及び１３ｂの発光部が光を発しない状態（例えば待機モード）であるとともに照明器具１２ａ及び１２ｂが点灯状態である場合の照度を実測照度ＬＢ１（またはＬＢ２）として検出するようにしてもよい。このように、他の電気機器の情報も考慮した上で実測照度を測定することにより、更に正確な寿命予測を行うことができる。
【００５５】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５６】
１  エネルギー管理システム
１１  分電盤
１２ａ，１２ｂ  照明器具
１３ａ，１３ｂ  電気機器
１４ａ，１４ｂ  電流検知部
１５  通信制御装置
１６  情報処理装置
１６ｂ  記憶装置
１６ｄ  ＣＰＵ
１２２ａ、１２２ｂ、１３２ａ、１３２ｂ  照度センサ
【図１】
2016066408.tif 000003
【図２】
2016066408.tif 000004
【図３】
2016066408.tif 000005
【図４】
2016066408.tif 000006
【図５】
2016066408.tif 000007
【図６】
2016066408.tif 000008